(57)【要約】【課題】球面構造ハニカム形状ボイスコイルボビンによる球面振動板を設けて広帯域指向性と球面波を発生させることを提供する。【解決手段】同心円周上に径の異なる弧を描く形の平面ループ状シートに平面ループ状に巻いたボイスコイルを貼り付けた構造とするハニカム形状ボイスコイルボビンを用いた球面状スピーカーユニットとする。【選択図】図１
2019115025.tif 000002
【特許請求の範囲】
【請求項１】
スピーカー用ハニカム形状ボイスコイルボビン部材であって、同心円周上に径の異なる弧を描く形の平面テープ状シートに、平面  ループ状に巻いたボイスコイルを貼り付け、当該ボイスコイルの巻き始めから巻き終わりまでを一ブロックとし、これを各ブロックごとに繰り返し連続したブロック群とする構造を特徴とするスピーカー用ハニカム形状平面  ループ状ボイスコイルボビン部材。
【請求項２】
請求項１の前記スピーカー用ハニカム形状平面  ループ状ボイスコイルボビン部材を設けたハニカム構造にあって、前記平面テープ状シートの弧の向きを同一方向に揃える組み合わせをするハニカム構造を特徴とするハニカム形状ボイスコイルボビン。
【請求項３】
請求項２におけるハニカム構造にしたボイスコイルボビンを設けたスピーカーユニットであって、これを複数のブロック群として組み合わせ、一体化したスピーカーにして、各ユニットの間に隙間を設けて、振動板を分離し、これをユニットの集合体とすることを特徴とするハニカム構造の球面型スピーカー。
【発明の詳細な説明】
【技術分野】
【０００１】本発明は高忠実度を図るためのスピーカー用ボイスコイルボビンについてである。
【背景技術】
【０００２】従来のダイナミックスピーカーユニットはコーン型が多く用いられているが、球面型スピーカーユニットや円筒型スピーカーユニットはあまり見かけない。
【先行技術文献】
【０００３】
【特許文献１】特願２０１７−６００６５
【特許文献２】特開２０１２−１１９８４２
【発明の概要】
【発明が解決しようとする課題】
【０００４】ハニカム形状ボイスコイルボビンによる球面状振動板を設けて球面波振動させ、また円筒状振動板を設けて平面波状振動と球面波状振動を行うことを提供する。コーン型スピーカーユニットを複数設けて球面体や円筒状の箱を設けて球面波などを発生させているものもあるが、しかし複数のスピーカーユニット間の位相ずれや振幅の相違があり、またスピーカーユニット間の隙間空間の存在により位相ずれによる櫛形フィルターが構成され歪が発生する。本発明は以上の欠点をなくするためになされたものである。
【解決するための手段】
【０００５】請求項１について本発明は前記課題の解決のため以下の手段を案出した。
スピーカー用ハニカム形状ボイスコイルボビン部材であって、同心円状に半径の異なる弧を描く形の平面テープ状シートに、平面閉ループ状に巻いたボイスコイルを貼り付け、当該ボイスコイルの巻き始めから巻き終わりまでを一ブロックとし、これを各ブロックごとに繰り返し、連続したブロック群とする構造を有するスピーカー用ハニカム形状平面ループ状ボイスコイルボビン部材とする。
【０００６】請求項２について本発明は前記課題の解決のため以下の手段を案出した。
（０００５）で記した前記スピーカー用ハニカム形状平面ループ状ボイスコイルボビン部材を設けたハニカム構造にあって、前記平面テープ状シートの弧の向きを同一方向に揃える組み合わせをする構造のハニカム形状平面ループ状ボイスコイルボビンとする。
【０００７】請求項３について本発明は前記課題の解決のため以下の手段を案出した。
（０００６）におけるハニカム構造にしたボイスコイルボビンを設けたスピーカーユニットであって、これを複数のブロック群として組み合わせ、一体化したスピーカーとして、各ユニットとの間に隙間を設けて、振動板を分離し、これをユニットの集合体としてハニカム構造の球面型スピーカーとする。
【発明の効果】
【０００８】請求項１と請求項２について説明する。同心円周上に径の異なるふたつの弧を描く形の平面テープシートに、平面ループ状に巻いたボイスコイルを貼り付ける工程と、ハニカム形状ボイスコイルボビンにするための当該平面テープシートを山折と谷折りにする工程は、平面テープシート状態で行うので連続性があり、球面形状ボイスコイルボビンの組み立てにあたっては作業が容易になり、作業性が高まる。
【０００９】本発明による広周波数帯域、広い指向性である球面形状ハニカム構造なので、各ハニカム部位を構成する振動板が各ハニカムブロックによって直接駆動される。振動板面積を広くし、応答性の速い、損失の少ない、球面波状の音圧レスポンスが得られる。
【００１０】請求項３について説明する。請求項２におけるハニカム構造にした前記ボイスコイルボビンを設けたスピーカーユニットは球面体状を構成するため、本発明による複数のユニットを集合体とする際の各ユニット間の隙間もハニカム構造形状となり、各ユニット間に設けた隙間は振動周波数に比較して小さいギャップとする事が出来、音圧発生時の位相歪を抑え、櫛形フィルター状の位相歪の発生を抑える。
【００１１】可聴周波数帯域内での指向性の鋭い高周波数帯域に請求項３に示したユニットを集合体として用いると、振動板面積は高速応答性を損なわずに広くすることができるので指向特性の広く、また音響エネルギーの大きい平坦な周波数特性がえられる。
【図面の簡単な説明】
【００１２】
【図１】は球面状ハニカム構造ボイスコイルボビン部材の説明図
【図２】は球面状ハニカム構造にするための説明図
【図３】は球面状ハニカム構造スピーカーユニットの一ブロックの説明図
【図４】は球面状ハニカム構造スピーカーユニットの多数集合体の説明図
【発明を実施するための形態】
【００１３】請求項１について本発明を実施するための形態を図１に基づいて説明する。
同心円Ｏ（１）を中心とする半径がｒ１（２）とｒ２（３）との異なる弧を描く形の平面テープ状シート（４）に、平面ループ状（５）にボイスコイル（６）を巻いてこれを貼り付ける。平面シート（４）に平面ループ状に巻いたボイスコイル（６）を貼り付けてからテープ状にカットしても同様である。
【００１４】当該平面上ボイスコイル（６）の巻き始め（７）から巻き終わり（８）を一ブロックとし、この一ブロック（９）には多角形状ボビンの各々の折り目（１０）を堺とした一平面に一平面状  ループボイスコイルを巻く。また当該ボビン全体に一平面  ループ状ボイスコルを巻くこともある。一ブロック毎に平面ループ状ボイスコイルの巻き方向を時計回り（１１）と反時計回り（１２）と交互に巻く向きを変える。連続する各ブロック毎に巻き方向を変えることによって、インダクタンス成分が相殺され無誘導に近づき、また外乱磁場の影響を抑える機能をもつ。連続する各ブロック毎の平面ループ状コイルの巻き終わりは次のブロックの平面ループ状ボイスコイルの巻き始めに一本のコイル線で結び、連結する。これにより信号の連絡が簡易、容易になる。このような形態をもってハニカム形状平面  ループ状ボイスコイルボビンの部材とする。
【００１５】請求項２について図２に基づいて本発明の形態について説明する。前記ハニカム形状平面ループ状ボイスコイルボビン部材を正六角形状に形成するためブロックａ（１３）と同ｂ（１４），同ｃ（１５）、同ｄ（１６）との間を山折りにし，同ｄ（１６）と同ｅ（１７）間を谷折りに折りたたみ密着し、同ｊ（２０），同ｋ（２１）間と、同ｆ（１８），同ｇ（１９）間との各ブロック間を山折りにする。
【００１６】請求項３について図３と図４に基づいて説明する。図３は本発明による三つの前記ハニカム構造を組み合わせたボイスコイルボビンを設けたスピーカーユニット用ハニカム形状ボイスコイルボビンを示す。当該ボビンの各（３１），（３２），（３３）の内側には平面ループ状ボイスコイル（３４）を貼り付けてある。球面形状を示す当該三つのボイスコイルボビンを一体化した一ユニットとして、その集合体としての球面形状スピーカー用ボイスコイルボビン群（３６）について、図４に基づいて説明する。球面形状のスピーカーユニットは全体として膨張と縮小を繰り返す作用によって音圧を発生するので、前記ボイスコイルボビン群（３６）を構成する各々ボイスコイルボビン（３７）との間に隙間（３５）を設ける。これによって球面波の運動をするための膨張と縮小を等価的に行い、球面波を得ている。この隙間（３５）は本発明によるハニカム構造を設けているため、発生する音波の波長に比較して小さいものとなるので、また様々な位相歪等による音質の劣化は少ない。また当該隙間にはネオジムマグネットなどを挿入して駆動力を高めることもある。このユニットの外周部に磁石を取り付けることで各ユニット間が磁力によって一層密着し固定される。
【符号の説明】
【００１７】１    同心円Ｏ
２    弧の半径ｒ
４    平面テープ状シート
６    ボイスコイル
１０  多角形状ボビンの各々の折り目
１３  ブロックａ
１７  ブロックｅ
３１  ボビン
３４  平面ループ状ボイスコイル
３５  隙間
３６  ボイスコイルボビン群
【図１】
2019115025.tif 000003
【図２】
2019115025.tif 000004
【図３】
2019115025.tif 000005
【図４】
2019115025.tif 000006
【手続補正書】
【提出日】平成30年8月6日(2018.8.6)
【手続補正１】
【補正対象書類名】明細書
【補正対象項目名】０００５
【補正方法】変更
【補正の内容】
【０００５】請求項１について本発明は前記課題の解決のため以下の手段を案出した。
スピーカー用ハニカム形状ボイスコイルボビン部材であって、同心円状に半径の異なる弧を描く形の平面テープ状シートに、平面  ループ状に巻いたボイスコイルを貼り付け、当該ボイスコイルの巻き始めから巻き終わりまでを一ブロックとし、これを各ブロックごとに繰り返し、連続したブロック群とする構造を有するスピーカー用ハニカム形状平面ループ状ボイスコイルボビン部材とする。